(57)【要約】【課題】  テニス、野球、卓球等のボール練習時に立位姿勢にてボール回収をおこなうボール回収具を提供する。【解決手段】  テニスボールや野球ボール等の任意のボールが上下に順次移動する上下が開口した筒状の回収具本体と、該回収具本体下部外周を上下動する可動体と、該可動体から下方に突出するとともに地上のボールを可動体下開口部に導く複数のガイド脚と、前記可動体の上下移動を制御するストッパー機構と、回収具本体上部に設けられ立位姿勢で操作可能とする把手機構部と、回収具側面に着脱機構を介して着脱可能に取り付けられる収集具と、回収具上端の収集具取り付け側に設けられたボール排出用切り欠き部と、回収具下部内側側面にボールを下方から押し上げ移動可能とするとともにボールの落下を防止するように内側上方に向かって設けられた球止めブラシとより構成される。【選択図】          図１
2006175187.tif 000002
【特許請求の範囲】
【請求項１】
テニスボールや野球ボール等の任意のボールが上下に順次移動する上下が開口した筒状の回収具本体と、該回収具本体下部外周を上下動する可動体と、該可動体から下方に突出するとともに地上のボールを可動体下開口部に導く複数のガイド脚と、前記可動体の上下移動を制御するストッパー機構と、回収具本体上部に設けられ立位姿勢で操作可能とする把手機構部と、回収具側面に着脱機構を介して着脱可能に取り付けられる収集具と、回収具上端の収集具取り付け側に設けられたボール排出用切り欠き部と、回収具下部内側側面にボールを下方から押し上げ移動可能とするとともにボールの落下を防止するように内側上方に向かって設けられた球止めブラシとよりなるボール回収具。
【請求項２】
回収具上部に切り欠き部方向へボールを押し出す押し出し機構を設けたことを特徴とする請求項１記載のボール回収具。
【発明の詳細な説明】
【技術分野】
【０００１】  本発明はテニス、野球、卓球等のボール練習時に立位姿勢にてボール回収をおこなうボール回収具に関する。
【背景技術】
【０００２】  従来、立位姿勢でボールを回収する回収具として側面が開口し地面に置き使用する収納部に取っ手をつけたものがあった。
回収具を使用しない際は、腰を曲げて、一つづつボールを拾っていた。
【発明の開示】
【発明が解決しようとする課題】
【０００３】  回収具を使用せず腰を曲げてボールを拾う場合、腰に負担がかかっていた。
側面が開口し地面に置き使用する収納部に取っ手をつけた回収具を使用する場合には、回収具を動かして回収しようとしても、反発してうまく回収できないことが多々あった。また、ラケットを利用してボールを回収具方向へ押し出していたが、この場合ラケット操作に熟練していないとうまく回収できなかった。あわせて、回収にあたり腰を曲げる動作が伴っており、腰に対する負担は残っていた。
回収効率が低下することにより、練習に費やす時間がなくなり本来の技術向上に支障をきたしていた。
【課題を解決するための手段】
【０００４】  テニスボールや野球ボール等の任意のボールが上下に順次移動する上下が開口した筒状の回収具本体と、該回収具本体下部外周を上下動する可動体と、該可動体から下方に突出するとともに地上のボールを可動体下開口部に導く複数のガイド脚と、前記可動体の上下移動を制御するストッパー機構と、回収具本体上部に設けられ立位姿勢で操作可能とする把手機構部と、回収具側面に着脱機構を介して着脱可能に取り付けられる収集具と、回収具上端の収集具取り付け側に設けられたボール排出用切り欠き部と、回収具下部内側側面にボールを下方から押し上げ移動可能とするとともにボールの落下を防止するように内側上方に向かって設けられた球止めブラシとより構成される。【０００５】  回収具上部に切り欠き部方向へボールを押し出す押し出し機構を設ける。
【発明の効果】
【０００６】  本発明において、テニスボールや野球ボール等の任意のボールを立位姿勢で回収したボールを手で押さえることなく回収具本体内に保持するとともに順次連続して回収可能となる。
可動体下開口部に導く複数のガイド脚を設けることにより、正確に位置を決めなくても容易に可動体および回収具本体に回収することが可能となる。
回収具本体に設けられた収集具により、回収されたボールを収集具にまとめて回収することができるので、回収具の大きさに限定されず数多くのボールを収集することが可能となった。
収集具が着脱可能構造となっていることで、収集具に回収したボールを収集具のみで移動可能となった。
回収具上部に切り欠き部方向へボールを押し出す押し出し機構を設けることにより、より確実に収集具に回収可能となった。
【発明を実施するための最良の形態】
【０００７】  以下、本発明の実施の形態について、以下図１〜図６を利用して説明する。
図１は本発明の分解斜視図、図２は本発明の正面図、図３は本発明の右側面図、図４は本発明の使用説明図、図５は本発明の使用説明図、図６は本発明の使用説明図である。
本発明は、図１に示すように回収具本体１と可動体２と収集具３とより構成されている。
回収具本体１は、上部筒部７と該上部筒部７から下方に延設され内径が同じ筒状となった移動ガイド部６となっている。上部筒部７と移動ガイド部６の境目には外周にリング状の上ストッパー９が設けられている。また、移動ガイド部６下端の外周には筒ねじ１１が形成されており、この筒ねじ１１に螺合するリングねじ１０を内壁に有するリング状で別体となったストッパーリング８が具備されている。
移動ガイド部６の下端には、図５に示すように球止めブラシ２５が内壁全周に設けられている。この球止めブラシ２５は先端が内側上方を向くように傾斜した状態で均等に取り付けられたものであり、少なくとも図５ｂに示すように移動ガイド部６の下端から回収対象のボールの直径以上の高さ位置まで配置されたものであるとともに、押圧によりボール形状にあわせて撓むとともに、全体で回収したボール落下は防ぐ強度となったものである。
上部筒部７の上部前面には略半弧状の切り欠き部１４が設けられている。
上部筒部７の左右側面には略コの字状の中間支持部１６がそれぞれに設けられている。上部筒部７の中間支持部１６がとりつけられた高さ位置と同じ位置で、前記中間支持部１６の左右後方には四角い枠状のストッパー１７がそれぞれ設けられている。
上部筒部７の前記切り欠き部１４に対向する壁部の内側には上方に向かうにつれ弧状に伸びた板状の押し出し部材１５が設けられている。
また、上部筒部７の左右側面の上部において軸２１を介して回動可能となるように把手機構部が具備されている。図においての把手機構部は上部筒部７につながる支持部材１２と、該支持部材１２の上中間部から上方に立設された棒状の把手棒１３により構成されたものとなっている。
可動体２は、筒状の可動筒体４と、該可動筒体４の下部側面に等間隔で設けられ、それぞれ下方に向かうにつれ外に湾曲した複数のガイド脚５とで構成されている。
可動筒体４は内径が前記移動ガイド部６の外周よりも若干大きな内径であり、縦の長さが前記移動ガイド部６よりも短くなっており、移動ガイド部６上を上下に移動できるものである。
該可動体２は、回収具本体１のストッパーリング８をはずした状態で下方から取り付けられ、取り付け後ストッパーリング８を移動ガイド部６下端に螺合することで設定される。
収集具３は、回収具本体１の上部筒部７の外周に沿った内フレームと、内フレームと対でボール投入口を形成するとともに、回収具本体１に着脱可能に固定するための延長フレーム部とからなるフレーム１８と、フレーム１８を開口部とするように設けられた網袋１９と、フレーム１８の左右先端にそれぞれ設けられた差込部材２０とから構成されたものである。
本発明は以上の構成よりなるものである。【０００８】以下、本発明の利用方法について説明する。
本発明を使用するときは、まず収集具３を回収具本体１に取り付ける。取り付けにあたっては、収集具３のフレーム１８の延長フレーム部の中間を支持部材１２にかけて中間高さを固定し、フレーム１８先端の差込部材２０をストッパー１７に差し込むことで固定する。
この差込状態を示したのが図４である。差込部材２０には図４ａに示すように先端から折り返した可動片２２が設けられており、これを押し込むと図４ｂに示すように可動片２２が折り込まれ差込部材２０がストッパー１７に挿入されている。挿入が完了すると、図４ｃに示すように可動片２２が元の形状になり、ストッパーの役割をする。これをはずすときには、可動片２２を指で折りストッパー１７から取り外す。
次にボール回収の方法について図５を用いて説明する。
回収具を持ち上げた状態では、可動筒体４はストッパーリング８で押さえられる上体で移動ガイド部６の下方に位置する。これを図５ａのように地面にあるボール３０ａの上位置にあわせ、次に図５ｂに示すように回収具を地面に押し付ける状態とする。若干位置がずれていても、ガイド脚５がボールを回収位置に導く役割をなす。この際、回収されたボール３０ａの押し込みにより球止めブラシ２５は撓むが、回収したボールの落下は防ぐ。
次のボールを回収する際は、同様に図５ｃに示すように回収対象ボール３０ｂの上に合わせて回収具を押し込む。回収された状態が図５ｄであるが、このように回収具に入れられたものは、球止めブラシ２５により保持されるので、一度回収したら手で押さえることなく順次連続して回収が可能となる。
回収具からボールがあふれそうになった場合、図６に示すように、上部で押し出し部材１５によりボール３０が切り欠き部１４に押しやり、押し出されたボール３０は収集具３により収集される。
収集具に球が集まったら、その状態で別のボール籠に移してもよいが、収集具は着脱可能となっているので、これをはずすことで、回収具もあわせて持つことなく移動できる。
また、回収具本体に残ったボールをボール籠に入れる際は、回収具を逆さとする。この際、上ストッパー９により可動筒体４はとまり、外れることはない。
【図面の簡単な説明】
【０００９】
【図１】  本発明の分解斜視図
【図２】  本発明の正面図
【図３】  本発明の右側面図
【図４】  本発明の使用説明図
【図５】  本発明の使用説明図
【図６】  本発明の使用説明図
【符号の説明】
【００１０】１  回収具本体、２  可動体、３  収集具、４  可動筒体、５  ガイド脚、６  移動ガイド部、７  上部筒部、  ８  ストッパーリング、９  上ストッパー、１０  リングねじ、１１  筒ねじ、１２  支持部材、１３  把手棒、  １４  切り欠き部、１５  押し出し部材、１６  中間支持部、１７  ストッパー、１８  フレーム、１９  網袋、  ２０  差込部材、２１  軸、２２  可動片、球止めブラシ２５、３０；３０ａ；３０ｂ  ボール
【図１】
2006175187.tif 000003
【図２】
2006175187.tif 000004
【図３】
2006175187.tif 000005
【図４】
2006175187.tif 000006
【図５】
2006175187.tif 000007
【図６】
2006175187.tif 000008